(57)【要約】【課題】  書店の新刊雑誌の展示棚あるいは駅の売店やコンビニエンスストアの雑誌棚に設置し、新刊雑誌の名前や値段や内容等の特記事項を記載したリーフレットを差し替え可能とした広告宣伝用の掲示具を提供する。【解決手段】  縦幅５が１２〜２０ｃｍ、横幅６が最大で広告展示する雑誌表紙の横幅を有し、１．０〜１．２ｍｍの間隙７を有する表裏からなる二重層部４を厚さ３が１．０〜１．２ｍｍの透明な硬質合成樹脂板２から形成し、二重層部４の左右端８を装着口９とし、その上端１０および下端１１を閉じ、装着口９の側方から広告媒体１２を差し込み交換自在な告媒体展示部１３とし、二重層部４を形成する硬質合成樹脂板２のうちの一面を広告媒体展示部１３の下端１１から下方に広告展示する雑誌表紙の縦幅１４より少なくとも３ｃｍ以上突出させた支持板１５とした雑誌の広告媒体の掲示具１である。【選択図】      図２
0003104722.tif 000002
【実用新案登録請求の範囲】
【請求項１】
縦幅５が１２〜２０ｃｍ、横幅６が最大で広告展示する雑誌表紙の横幅を有し、１．０〜１．２ｍｍの間隙７を有する表裏からなる二重層部４を厚さ３が１．０〜１．２ｍｍの透明な硬質合成樹脂板２から形成し、該二重層部４の左右端８を開口して装着口９とし、該二重層部４の上端１０および下端１１を閉じ、該左右端８の装着口９の側方からリーフレット状の広告媒体１２を差し込み交換自在として該二重層部４を広告媒体展示部１３に形成し、該広告媒体展示部１３の二重層部４を形成する硬質合成樹脂板２のうちの一面の硬質合成樹脂板２ａを該広告媒体展示部１３の下端１１から下方に該広告展示する雑誌表紙の縦幅１４より少なくとも３ｃｍ突出させた長さの支持板１５に形成していることを特徴とする新刊雑誌の広告媒体の掲示具１。
【請求項２】
二重層部４の左右端８は、その少なくとも一方の端８ａの硬質合成樹脂板２の少なくとも一面に半径１．４〜１．８ｃｍの指面を差し入れる切り込み１６を有することを特徴とする請求項１に記載の新刊雑誌の広告媒体の掲示具１。
【考案の詳細な説明】
【技術分野】
【０００１】
この出願の考案は書店の雑誌売り場の新刊雑誌の飾り棚や、コンビニエンスストアや駅売店の雑誌棚の例えば最上段の最も目立つ位置に設置する新刊雑誌、特に創刊号に関する宣伝文等の広告媒体の掲示具に関する。
【背景技術】
【０００２】
書店の店頭には、販売する各種の新刊本や新刊雑誌が購買者の目を引きつけるように、種々の工夫を凝らして展示されている。特に雑誌類は定期刊行物として週刊誌や月刊誌のように毎週や毎月の定められた曜日や日にちに発売され、一方、季刊誌や不定期の雑誌が長期間をあけて発売されている。これらの雑誌は通常は定められた書棚位置に平積みあるいは面陳列の表紙見せあるいは背表紙見せして展示される。
【０００３】
しかし、新刊雑誌の発売日の後の数日間、書店に来る購買者や立ち寄り者に新刊雑誌、特に創刊号であることを訴えるため、目の高さ位置にある雑誌陳列棚の最上段に表紙を見せて展示すると共に、その雑誌の周囲の目立つ位置に、雑誌の名前や値段や内容等の特記事項をポストカード大のカードに書いて棒の先端に設けたクリップにカードの下端を把持するカード立てにより示したり、あるいは天井から垂れを吊るして広告宣伝している。
【０００４】
しかし、これらの棒の先端に設けたカード立ては転倒しやすく、また垂れは購買者の視線が目的の雑誌よりやや高い位置に向けられるので目的の雑誌から視線がやや離れる問題があった。
【０００５】
また、駅のキオスクなどの売店やコンビニエンスストア等では狭いスペースの展示棚しかなく、このような場所では上記のカード立てを立てる余裕が無く、また吊り広告の余地も無い場合が多い。
【考案の開示】
【考案が解決しようとする課題】
【０００６】
本考案が解決しようとする課題は、問題のある上記のようなカード立てに代わって、書店の店頭の雑誌展示棚の上段の新刊雑誌の表紙見せ状態での展示棚あるいは駅のキオスクなどの売店やコンビニエンスストアの雑誌棚に安定して設置でき、広告宣伝する新刊雑誌の名前や値段や内容等の特記事項を記載したリーフレットを差し替え可能とした掲示具を提供することである。
【課題を解決するための手段】
【０００７】
上記の課題を解決するための本考案の手段は、縦幅５が１２〜２０ｃｍ、横幅６が最大で広告展示する雑誌表紙の横幅を有し、１．０〜１．２ｍｍの間隙７を有する表裏からなる二重層部４を厚さ３が１．０〜１．２ｍｍの透明な硬質合成樹脂板２から形成し、該二重層部４の左右端８を開口して装着口９とし、該二重層部４の上端１０および下端１１を閉じ、該左右端８の装着口９の側方からリーフレット状の広告媒体１２を差し込み交換自在として該二重層部４を広告媒体展示部１３に形成し、該広告媒体展示部１３の二重層部４を形成する硬質合成樹脂板２のうちの一面の硬質合成樹脂板２ａを該広告媒体展示部１３の下端１１から下方に該広告展示する雑誌表紙の縦幅１４より少なくとも３ｃｍ突出させた長さの支持板１５に形成していることを特徴とする新刊雑誌の広告媒体の掲示具１である。
【０００８】
請求項２の手段は、二重層部４の左右端８は、その少なくとも一方の端８ａの硬質合成樹脂板２の少なくとも一面に半径１．４〜１．８ｃｍの指面を差し入れる切り込み１６を有することを特徴とする請求項１の手段の新刊雑誌の広告媒体の掲示具１である。
【考案の効果】
【０００９】
本考案は書店や駅の売店あるいはコンビニエンスストアの雑誌販売展示棚などにおいて、目高さ位置の最上段の書棚に表紙見せして展示する新刊雑誌の後部に差し込み式で装着可能とした新刊雑誌の広告媒体の掲示具であり、本考案は、広告する新刊雑誌を的確に示し、かつ、転倒することなく、広告媒体を差し替え可能にするなどの優れた効果を奏するものである。
【考案を実施するための最良の形態】
【００１０】
本考案を実施するための最良の形態を図面を参照して以下に説明する。図１は本考案の掲示具１を示し、図２は書店や駅の売店あるいはコンビニエンスストアの雑誌販売展示棚のうち、最も人の目を惹く目の高さ位置にある最上段である書棚上段１８に展示した新刊の雑誌１７と広告媒体１２を装着した本考案の掲示具１を示す模式図である。
【００１１】
本考案の掲示具１は、素材がアクリル樹脂板やその他の樹脂板である透明な硬質合成樹脂板２の厚さ３が１．０〜１．２ｍｍから形成する。厚さ３をこのような厚さとする理由は、展示する雑誌の後部に堅実に安定して立てることができる板厚とすることによる。本考案の掲示具１は上部の二重層部４からなる広告媒体展示部１３と、その下部の足部となる支持板１５から形成されている。
【００１２】
これらのうち、二重層部４からなる広告媒体展示部１３ｍの大きさは、縦幅５を１２〜２０ｃｍとし、横幅６を最大で広告展示する雑誌表紙の横幅とする。すなわちＡ４版の雑誌であれば最大でＡ４の横幅であり、Ａ５版の雑誌であれば最大でＡ５の横幅とする。広告媒体展示部１３ｍの二重層部４は、表裏の２枚の透明な硬質合成樹脂板２からなり、この２枚の表裏の間は１．０〜１．２ｍｍの間隙７を有する。この表裏の二重層部４は、厚さ３が１．０〜１．２ｍｍの透明な硬質合成樹脂板２から二重層部４の上端１０を折り返し部として折り返し、折り返した二重層部４の下端１１に同じ１．０〜１．２ｍｍの透明な硬質合成樹脂板２からなるスペーサー１９を嵌挿して接合し、上記の二重層部４間の１．０〜１．２ｍｍの間隙７を形成する。
【００１３】
この二重層部４の間隙７の左右端８は開口して装着口９とする。一方、二重層部４の上端１０および下端１１は上記のように閉じられている。これらの左右端８の装着口９は、側方からリーフレット状の広告媒体１２を差し込むための開口である。これらの左右端８の装着口９を有する少なくとも一方の端８ａには、それを形成する表裏の硬質合成樹脂板２の少なくとも一面に半径１．４〜１．８ｃｍの大きさからなる指面を差し入れるための切り込み１６を形成する。この切り込み１６の形成により、二重層部４の広告媒体展示部１３に装着したリーフレット状の広告媒体１２を交換するときに容易に取り出すことができる。この切り込み１６は二重層部４の表裏の２枚の硬質合成樹脂板２の同位置を共に切欠き形成しても良い。この場合は広告媒体１２を指先で摘んで交換することができ、扱い易さがより向上する。
【００１４】
この二重層部４からなる広告媒体展示部１３において、この二重層部４を形成する硬質合成樹脂板２の表裏うちの一面の例えば裏面側の硬質合成樹脂板２ａをこの広告媒体展示部１３の二重層部４の下端１１から下方に突出させて、その突出部の硬質合成樹脂板２ａを支持板１５とする。この支持板１５の長さは、広告展示する雑誌表紙の縦幅１４より少なくとも３ｃｍ余分に突出させるものとし、広告展示する面陳列の表紙見せした雑誌より上方の目立つ位置で的確に新刊雑誌の広告媒体１２を掲示するものとする。
【図面の簡単な説明】
【００１５】
【図１】本考案の掲示具１を示す斜視図である。
【図２】雑誌販売展示用の展示棚上段１８に展示した新刊の雑誌１７と広告媒体１２を装着した掲示具１を示す模式図である。
【符号の説明】
【００１６】
１  掲示具
２  硬質合成樹脂板
３  厚さ
４  二重層部
５  縦幅
６  横幅
７  間隙
８  左右端
９  装着口
１０  上端
１１  下端
１２  広告媒体
１３  広告媒体展示部
１４  雑誌表紙の縦幅
１５  支持板
１６  切り込み
１７  雑誌
１８  展示棚上段
１９  当て板
【図１】
0003104722.tif 000003
【図２】
0003104722.tif 000004